(57)【要約】【課題】簡便な構成で棒状部材を動物が通れない適当な間隔に定めて設置することができる獣害防護柵を提供する。【解決手段】複数の棒状部材１１と、この棒状部材１１が取り付けられる孔が、動物が通れない約１００ｍｍの間隔で形成された支持部材１２と、から獣害防護柵１０を構成し、棒状部材１１を孔に挿入することで動物が通れない約１００ｍｍの間隔で配置する。【選択図】図１
0003185156.tif 000002
【実用新案登録請求の範囲】
【請求項１】
複数の棒状部材と、
前記棒状部材が取り付けられる取付部が、動物が通れない所定の間隔で形成された支持部材と、
から構成され、
前記棒状部材が前記取付部に取り付けられることで、前記動物が通れない所定の間隔で前記棒状部材の配置が定められる、
ことを特徴とする獣害防護柵。
【請求項２】
前記動物が通れない所定の間隔が、約１００ｍｍである、
ことを特徴とする請求項１に記載の獣害防護柵。
【請求項３】
前記棒状部材の下部が、動物が掘り起こすことができない所定の深さまで埋設された、
ことを特徴とする請求項１または請求項２に記載の獣害防護柵。
【請求項４】
一部の前記棒状部材が、この棒状部材と隣接する他の前記棒状部材よりも長手に形成された長手棒状部材であり、横長の線状部材が他の前記棒状部材の上方に配置されると共に前記長手棒状部材間に渡されて支持されたことによって、動物が乗り越えることができない所定の高さに横長の前記線状部材が備えられた、
ことを特徴とする請求項１から請求項３のいずれか１項に記載の獣害防護柵。
【考案の詳細な説明】
【技術分野】
【０００１】
本考案は、動物が田畑に侵入することを防いで農作物を保護する獣害防護柵に関するものである。
【背景技術】
【０００２】
従来、田畑などにおいて農作物を食い荒らす、例えば猪やその子供である瓜坊、鹿などの野生動物から農作物を保護するため、田畑に防護柵が設置されている。この防護柵は例えば、田畑の周りに立てられた支柱間に網などが張り巡らされて形成されているものや、間を狭めて並列させた複数の棒によって形成されたものなどがある。
【考案の概要】
【考案が解決しようとする課題】
【０００３】
しかし、広大な田畑を防護柵で囲うことは難儀であり、また、適した間隔で棒が並列していなければ、棒の間を小動物に通り抜けられる。
【０００４】
本考案は、このような実情に鑑みて提案されたものである。すなわち、簡便な構成で動物が通れない適当な間隔に定めて棒を設置することができる獣害防護柵の提供を目的とする。
【課題を解決するための手段】
【０００５】
上記目的を達成するために、本考案に係る獣害防護柵は、複数の棒状部材と、前記棒状部材が取り付けられる取付部が、動物が通れない所定の間隔で形成された支持部材と、から構成され、前記棒状部材が前記取付部に取り付けられることで、動物が通れない所定の間隔で前記棒状部材の配置が定められることを特徴とする。
【０００６】
本考案に係る獣害防護柵は、前記動物が通れない所定の間隔が、約１００ｍｍであることを特徴とする。
【０００７】
本考案に係る獣害防護柵は、前記棒状部材の下部が、動物が掘り起こすことができない所定の深さまで埋設されたことを特徴とする。
【０００８】
本考案に係る獣害防護柵は、一部の前記棒状部材が、この棒状部材と隣接する他の前記棒状部材よりも長く形成された長手棒状部材であり、横長の線状部材が他の前記棒状部材の上方に配置されると共に前記長手棒状部材間に渡されて支持されたことによって、動物が乗り越えることができない所定の高さに横長の前記線状部材が備えられたことを特徴とする。
【考案の効果】
【０００９】
本考案に係る獣害防護柵は上記の構成である。この構成によれば、動物が通れない所定の間隔で支持部材に形成された取付部に棒状部材が取り付けられることで、棒状部材の間隔が必然的に定まる。したがって、簡便な構成で動物が通れない適当な間隔に定めて棒状部材を設置することができる。
【００１０】
本考案に係る獣害防護柵は動物が通れない所定の間隔が約１００ｍｍである。この構成によれば、瓜坊などの小動物の大きさよりも狭い間隔で棒状部材が設置される。したがって、簡便な構成で動物が通れない適当な間隔に定めて棒状部材を設置することができる。
【００１１】
本考案に係る獣害防護柵は、棒状部材の下部が、動物が掘り起こすことができない所定の深さまで埋設されている。したがって、動物が地面を掘り起こして獣害防護柵を潜り抜けることが棒状部材によって妨げられる。
【００１２】
本考案に係る獣害防護柵は、一部の棒状部材が、この棒状部材と隣接する他の棒状部材よりも長く形成された長手棒状部材であり、横長の線状部材が他の棒状部材の上方に配置されると共に長手棒状部材間に渡されて支持されたことによって、動物が乗り越えることができない所定の高さに横長の線状部材が備えられている。したがって、動物が棒状部材を乗り越えることが線状部材によって妨げられる。
【図面の簡単な説明】
【００１３】
【図１】本考案の第一実施形態に係る獣害防護柵の設置斜視図である。
【図２】本考案の第二実施形態に係る獣害防護柵の設置斜視図である。
【図３】本考案の第一実施形態に係る獣害防護柵を構成する支持部材の外観斜視図である。
【図４】本考案の第二実施形態に係る獣害防護柵を構成する支持部材の外観斜視図である。
【考案を実施するための形態】
【００１４】
以下、本考案の実施形態に係る獣害防護柵を図面に基づいて説明する。
【００１５】
図１および図３において、本考案の第一実施形態に係る獣害防護柵１０は、地面１に立てられる複数の棒状部材１１、この棒状部材１１が取り付けられる取付部としての孔１３が、動物が通れない所定の間隔１４で形成された支持部材としての平板支持部材１２、一部の棒状部材１１（長手棒状部材１６）間に渡されて支持された線状部材としての針金１７、から構成されている。
【００１６】
図１において、一部の棒状部材１１は、この棒状部材１１と隣接する他の棒状部材１１よりも長手に形成された長手棒状部材１６である。棒状部材１１は長さ（高さ）が動物の大きさに合わせて決められ、例えば約１４００ｍｍであり、長手棒状部材１６の長さが例えば２０００ｍｍである。また、素材が例えば、鉄、ステンレス、プラスチックなどであり、形状が例えば、丸棒、異形棒などである。各部材１１，１６は地面に突き立てられる際に埋設される部分と露出する部分との境界に目印が付されていてもよい。
【００１７】
長手棒状部材１６は、上端側に通線孔１８が形成されている。通線孔１８の数や間隔は任意であるが、例えば長手棒状部材１６の上端側から２００ｍｍ間隔で３箇所に形成されている。通線孔１８は針金１７が通される。
【００１８】
図３において、平板支持部材１２は長手の平板状であり、孔１３が所定の間隔１４で形成されている。孔１３は棒状部材１１が挿入される大きさである。所定の間隔１４は、瓜坊などの小動物が通れない間隔１４である。平板支持部材１２は、例えば厚みが約３．２ｍｍから約０．５ｍｍ、幅が約５０ｍｍから約１０ｍｍ、所定の間隔１４が約１００ｍｍである。
【００１９】
図１において、獣害防護柵１０は平板支持部材１２が地面１に載置され、棒状部材１１が平板支持部材１２の孔１３に挿入されると共に地面１に突き立てられている。棒状部材１１はおおよそ１０本ごとに他の棒状部材１１よりも長手に形成されている。すなわち、長手棒状部材１６はおおよそ１０本の棒状部材１１ごとに配置されている。各部材１１，１６は目印が地面１に合わせられ、下部が地中のうち、動物が掘り起こすことができない所定に深さまで埋設されている。ここで所定の深さは、動物が掘り起こすことができない深度であり、例えば約３５０ｍｍである。
【００２０】
棒状部材１１は長手方向の複数個所に取り付けられた平板支持部材１２によって支持されている。平板支持部材１２は、例えば棒状部材１１の下部、中部、上部などに配置され、固定具２で棒状部材１１に固定されている。固定具２は例えば針金、ビニール紐、結束バンドなどである。
【００２１】
長手棒状部材１６の通線孔１８は針金１７が通されている。針金１７は、通線孔１８を通って他の棒状部材１１の上方に配置されると共に長手棒状部材１６間に渡され、動物が乗り越えることができない所定の高さに支持されている。ここで、動物が乗り越えることができない所定の高さは、例えば約１６５０ｍｍである。
【００２２】
以上が第一実施形態に係る獣害防護柵１０である。
【００２３】
図２および図４において、本考案の第二実施形態に係る獣害防護柵２０は、支持部材が針金で形成された針金支持部材１５である。針金支持部材１５の孔１３は針金が環状に曲げられたことで形成され、棒状部材１１の回りの大きさに合わせて編み上げられる。針金は１本から、または複数本が縒り合されて形成されている。なお、他の構成は第一実施形態に係る獣害防護柵１０と同じである。
【００２４】
次に、上記した実施例の効果を説明する。
【００２５】
上記したとおり各実施形態によれば、平板支持部材１２および針金支持部材１５は孔１３が、動物が通れない所定の間隔１４で形成されている。所定の間隔１４は、瓜坊などの小動物が通れない間隔１４であり、約１００ｍｍである。この構成によれば、約１００ｍｍ間隔で各支持部材１２，１５に形成された孔１３に棒状部材１１が取り付けられることで、棒状部材１１の間隔１４が必然的に定まる。したがって、簡便な構成で棒状部材１１を適当な間隔１４に定めることができる。
【００２６】
本実施形態によれば、棒状部材１１は目印が地面１に合わせられ、下部が地中のうち、動物が掘り起こすことができない所定の深さまで埋設されている。所定の深さは、動物が掘り起こすことができない深度であり、例えば約３５０ｍｍである。この構成により、動物によって地面１が掘り起こされた場合であっても、下部が所定の深さまで埋設された棒状部材１１によって動物が潜り抜けることを防ぐことができる。
【００２７】
本実施形態によれば、長手棒状部材１６は上端側に通線孔１８が、例えば長手棒状部材１６の上端側から２００ｍｍ間隔で３箇所に形成されている。通線孔１８に通された針金１７は、他の棒状部材１１の上方に配置されると共に長手棒状部材１６間に渡され、動物が超えることができない所定の高さに支持されている。所定の高さは、例えば約１６５０ｍｍである。この構成により、鹿などが棒状部材１１を乗り越えようとした場合であっても、針金１７によって鹿などが棒状部材１１を乗り越えることを防ぐことができる。
【００２８】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００２９】
１                  地面
２                  固定具
１０、２０          獣害防護柵
１１                棒状部材
１２                平板支持部材（支持部材）
１３                孔（取付部）
１４                間隔
１５                針金支持部材（支持部材）
１６                長手棒状部材
１７                針金（線状部材）
１８                通線孔
【図１】
0003185156.tif 000003
【図２】
0003185156.tif 000004
【図３】
0003185156.tif 000005
【図４】
0003185156.tif 000006